(57)【特許請求の範囲】
【請求項１】
マニキュアを収納することができる、外周部にキャップ嵌合部が形成された口部を有する収納容器本体と、この収納容器本体の口部のキャップ嵌合部と嵌合し、該口部の開口部を開閉するキャップと、このキャップに取付けられた該キャップで開口部を閉じた場合に、前記収納容器本体内に収納される棒状の筆とからなるマニキュア容器において、前記収納容器本体の口部を外周部にキャップ嵌合部が形成された口部本体と、この口部本体の開口部の周縁の上面で、前記キャップで閉じた状態で外周部に空間が形成できるように上方へ突出させた筒状のシール部とで形成し、該シール部は前記キャップに備えられたパッキングとの接触面積が小さくなるように先端部の外径が前記口部本体の外径よりも小寸法となるように形成されていることを特徴とするマニキュア容器。
【請求項２】
マニキュアを収納することができる、外周部にキャップ嵌合部が形成された口部を有する収納容器本体と、この収納容器本体の口部のキャップ嵌合部と嵌合し、該口部の開口部を開閉するキャップと、このキャップに取付けられた該キャップで開口部を閉じた場合に、前記収納容器本体内に収納される棒状の筆とからなるマニキュア容器において、前記収納容器本体の口部を外周部にキャップ嵌合部が形成された口部本体と、この口部本体の開口部の周縁の上面で、前記キャップで閉じた状態で外周部に空間が形成できるように上方へ突出させた筒状のシール部と、このシール部の下部外周部の前記口部本体の上面に形成された流出マニキュアの収納凹部とで形成し、該シール部は前記キャップに備えられたパッキングとの接触面積が小さくなるように先端部の外径が前記口部本体の外径よりも小寸法となるように形成されていることを特徴とするマニキュア容器。
【発明の詳細な説明】
【技術分野】
【０００１】
本発明はマニキュアを収納するマニキュア容器に関する。
【背景技術】
【０００２】
従来のマニキュアを収納する収納容器は、マニキュアが収納される外周部にキャップ嵌合部が形成された口部を有する収納容器本体と、この収納容器本体の口部のキャップ嵌合部と嵌合する、該口部の開口部を開閉するキャップと、このキャップに取付けられた、該キャップで開口部を閉じた場合に、前記収納容器本体内に収納される棒状の筆とで構成されている。
また、マスカラを収納する収納容器は口部に棒状の筆をしごくしごき部材を取付けている。
【０００３】
このように構成されたマニキュアやマスカラの収納容器は、使用時に口部の上面にマニキュアやマスカラが付着し、キャップを閉じる嵌合時の回転や回動で接触面積の大きい口部の上面全体にマニキュアやマスカラが付着した状態となり、次回の使用時に該マニキュアやマスカラが接着剤の機能をして固着状態となり、キャップの開放に苦労するという欠点があった。
また、口部の上面に付着したマニキュアやマスカラがキャップの開閉操作によって、キャップ嵌合部へ流出すると見苦しくなるとともに、さらに強固な固着状態になってしまうという欠点があった。
【特許文献１】特になし。
【発明の開示】
【発明が解決しようとする課題】
【０００４】
本発明は以上のような従来の欠点に鑑み、キャップのシール部と収納容器本体の口部のシール部との接触面積を小さくして、付着したマニキュアによって固着状態となるのを効率よく阻止するとともに、口部のキャップ嵌合部へマニキュアが流出するのを効率よく阻止して、キャップの開閉が容易で、きれいに使用することができるマニキュア容器を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はマニキュアを収納することができる、外周部にキャップ嵌合部が形成された口部を有する収納容器本体と、この収納容器本体の口部のキャップ嵌合部と嵌合し、該口部の開口部を開閉するキャップと、このキャップに取付けられた該キャップで開口部を閉じた場合に、前記収納容器本体内に収納される棒状の筆とからなるマニキュア容器において、前記収納容器本体の口部を外周部にキャップ嵌合部が形成された口部本体と、この口部本体の開口部の周縁の上面で、前記キャップで閉じた状態で外周部に空間が形成できるように上方へ突出させた筒状のシール部とで形成し、該シール部は前記キャップに備えられたパッキングとの接触面積が小さくなるように先端部の外径が前記口部本体の外径よりも小寸法となるように形成されているマニキュア容器を構成している。
【発明の効果】
【０００７】
以上の説明から明らかなように、本発明にあっては次に列挙する効果が得られる。
【０００８】
（１）外周部にキャップ嵌合部が形成された口部を有する収納容器本体と、この収納容器本体の口部のキャップ嵌合部と嵌合し、該口部の開口部を開閉するキャップと、このキャップに取付けられた該キャップで開口部を閉じた場合に、収納容器本体内に収納される棒状の筆とからなるマニキュア容器において、収納容器本体の口部を外周部にキャップ嵌合部が形成された口部本体と、この口部本体の開口部の周縁の上面で、キャップで閉じた状態で外周部に空間が形成できるように上方へ突出させた筒状のシール部とで構成されているので、開口部の開閉は口部のシール部とキャップとの小さな面積で行なうことができる。
したがって、付着したマニキュアで固着状態となるのを効率よく阻止することができる。
【０００９】
（２）前記（１）によって、キャップを閉じた状態で口部のシール部の外周部に空間が形成されるので、使用時に棒状の筆等でシール部にマニキュアを付着させても、キャップ嵌合部まで流出させるのを阻止することができる。
したがって、従来のようにキャップ嵌合部にマニキュアが容易に流出するのを阻止して、強固な固着状態になるのを防止することができる。
【００１０】
（３）前記（１）によって、口部に筒状のシール部を形成するだけでよいので、構造が簡単で、安価に製造することができるとともに、シール部が上方へ突出しているので、使用時に棒状の筆先をキャップ嵌合部に付着させるような誤操作を効率よく防止することができる。
【００１１】
（４）請求項２も前記（１）〜（３）と同様な効果が得られるとともに、収納凹部によってキャップ嵌合部へのマニキュアの流出を確実に阻止することができる。
【発明を実施するための最良の形態】
【００１２】
以下、図面に示す本発明を実施するための最良の形態により、本発明を詳細に説明する。
【００１３】
図１ないし図６に示す本発明を実施するための最良の第１の形態において、１はマニキュア２が収納される本発明のマニキュア容器で、このマニキュア容器１はマニキュア２を収納することができる、外周部にキャップ嵌合部３が形成された口部４を有する円筒状の収納容器本体５と、この収納容器本体５の口部４のキャップ嵌合部３と嵌合し、該口部４の開口部４ａを開閉するパッキング６が設けられたキャップ７と、このキャップ７に取付けられた、該キャップ７で前記口部４の開口部４ａを閉じた場合に、前記収納容器本体５内に収納される先端部に螺旋状のブラシ８が取付けられた棒状の筆９とで構成されている。
【００１４】
前記収納容器本体５の口部４は図４ないし図６に示すように、外周部にキャップ嵌合部３が形成された口部本体１０と、この口部本体１０の開口部４ａの周縁の上面で、前記キャップ７で閉じた状態で外周部に空間１１が形成できるように上方へ突出させた先端部の外径が小寸法となる筒状のシール部１２とで構成されている。
【００１５】
上記構成のマニキュア容器１は、キャップ７が閉じた状態では口部４のシール部１２の上端部１２ａとキャップ７のパッキング６とが密着された状態となり、収納容器本体５内のマニキュア２が口部４の開口部４ａより漏れるのを防止することができる。
また、キャップ７のパッキング６と口部４のシール部１２の接触面積が小さいため、該シール部１２に使用時の棒状の筆９の出し入れによってマニキュア２が付着しても、強固に固着されることなく、容易にキャップ７の開放操作を行なうことができる。
さらに、シール部１２が上方へ突出しているので、キャップ７に取付けられた棒状の筆９を収納容器本体５内へ出し入れする時に、マニキュア２が付着した棒状の筆９のブラシ８が口部４のキャップ嵌合部３に付着させるのを効率よく防止できるとともに、シール部１２の上端部に付着したマニキュア２もシール部１２の外周部の空間１１で固定状態となり、キャップ嵌合部３へ流出するのを効率よく阻止して、より外部に付着した液体化粧料で強固に固着状態になるのを阻止することができる。
[発明を実施するための異なる形態]
【００１６】
次に、図７ないし図１５に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１７】
図７ないし図９に示す本発明を実施するための第２の形態において、前記本発明を実施するための最良の第１の形態と主に異なる点は、ボトル状に形成された収納容器本体５Ａと、先端部に穂先１３が取付けられた棒状の筆９Ａを用いた点で、このように構成したマニキュア容器１Ａにしても、前記本発明を実施するための最良の第１の形態と同様な作用効果が得られる。
【００１８】
図１０ないし図１２に示す本発明を実施するための第３の形態において、前記本発明を実施するための第２の形態と主に異なる点は、円筒状のボトル状に形成した収納容器本体５Ｂの口部４に円筒状のシール部１２Ａを形成するとともに、該シール部１２Ａの下部外周部に収納凹部１４を形成した点で、このように構成したマニキュア容器１Ｂにしても、前記本発明を実施するための第２の形態と同様な作用効果が得られるとともに、シール部１２Ａの外壁を伝わって流れるマニキュアを収納凹部１４に導き、キャップ嵌合部３へ流出するのを効率よく阻止することができる。
【００１９】
図１３ないし図１５に示す本発明を実施するための第４の形態において、前記本発明を実施するための最良の第１の形態と主に異なる点は、口部４の外周部寄りの上面にキャップ嵌合部３へマニキュア２が流出するのを阻止するリング状の阻止突片１５を形成した点で、このように構成したマニキュア容器１Ｃにしても、前記本発明を実施するための最良の第１の形態と同様な作用効果が得られるとともに、阻止突片１５によってキャップ嵌合部３へマニキュアが流出するのを効率よく阻止することができる。
【産業上の利用可能性】
【００２０】
本発明はマニキュア容器を製造する産業および、マニキュアを販売する産業で利用される。
【図面の簡単な説明】
【００２１】
【図１】本発明を実施するための最良の第１の形態の縦断面図。
【図２】本発明を実施するための最良の第１の形態の分解図。
【図３】本発明を実施するための最良の第１の形態の収納容器本体の平面図。
【図４】本発明を実施するための最良の第１の形態の収納容器本体の口部を表す正面図。
【図５】本発明を実施するための最良の第１の形態の収納容器本体の口部を表す平面図。
【図６】本発明を実施するための最良の第１の形態の収納容器本体の口部を表す底面図。
【図７】本発明を実施するための第２の形態の縦断面図。
【図８】本発明を実施するための第２の形態の分解図。
【図９】本発明を実施するための第２の形態の収納容器本体の平面図。
【図１０】本発明を実施するための第３の形態の縦断面図。
【図１１】本発明を実施するための第３の形態の分解図。
【図１２】本発明を実施するための第３の形態の収納容器本体の平面図。
【図１３】本発明を実施するための第４の形態の縦断面図。
【図１４】本発明を実施するための第４の形態の分解図。
【図１５】本発明を実施するための第４の形態の収納容器本体の平面図。
【符号の説明】
【００２２】
１、１Ａ、１Ｂ、１Ｃ：マニキュア容器、
２：マニキュア、      ３：キャップ嵌合部、
４：口部、        ５、５Ａ、５Ｂ：収納容器本体、
６：パッキング、      ７：キャップ、
８：ブラシ、        ９、９Ａ：棒状の筆、
１０：口部本体、      １１：空間、
１２、１２Ａ：シール部、    １３：穂先、
１４：収納凹部、      １５：阻止突片。
【図１】
0004675058.tif 000002
【図２】
0004675058.tif 000003
【図３】
0004675058.tif 000004
【図４】
0004675058.tif 000005
【図５】
0004675058.tif 000006
【図６】
0004675058.tif 000007
【図７】
0004675058.tif 000008
【図８】
0004675058.tif 000009
【図９】
0004675058.tif 000010
【図１０】
0004675058.tif 000011
【図１１】
0004675058.tif 000012
【図１２】
0004675058.tif 000013
【図１３】
0004675058.tif 000014
【図１４】
0004675058.tif 000015
【図１５】
0004675058.tif 000016